(57)【特許請求の範囲】
【請求項１】
シート基材の重ね合わせ面に通常の状態では接着することがなく、所定の接着条件を付与することにより剥離可能に接着する接着剤が設けられて所定の印刷および加工が施されたもので、後に重ね合わせ面を剥離可能に接着して用いられる重ね合わせ接着用シートであって、前記接着剤の、前記シート基材に対するマージナル孔加工、縦・横ミシン線加工、切り欠き加工の所定の加工が施される部分を凹状とさせ、当該所定の加工が施されたことを特徴とする重ね合わせ接着用シート。
【請求項２】
シート基材の重ね合わせ面に通常の状態では接着することがなく、所定の接着条件を付与することにより剥離可能に接着する接着剤が設けられて所定の印刷および加工が施されたもので、後に重ね合わせ面を剥離可能に接着して用いられる重ね合わせ接着用シートの作成方法であって、前記シート基材の所定部に前記接着剤が設けられ、前記接着剤の、前記シート基材に対するマージナル孔加工、縦・横ミシン線加工、切り欠き加工の所定の加工が施される部分を押圧により凹状とさせ、当該所定の加工を施すことを特徴とする重ね合わせ接着用シートの作成方法。
【発明の詳細な説明】
【０００１】
【発明の属する技術分野】
本発明は、１枚のシートを折り部を介して折り畳んだり、切り重ねたり、あるいは別体のシートを重ね合わせたりして、重ね合わせ面の全面ないし所定部を剥離可能に接着し、重ね合わせ面に通知情報などが記載される重ね合わせカード、重ね合わせ葉書などを構成する重ね合わせ接着用シートに関する。
【０００２】
【従来の技術】
従来から、重ね合わせ面を隠蔽情報記載部として利用する重ね合わせ接着用シートは、その隠蔽情報記載部に設けた通知情報を第三者に見られないように受取人へ連絡する場合に多く用いられている。例えば、重ね合わせ接着用シートを情報隠蔽葉書として構成したものでは、差出人が隠蔽情報記載部に通知情報を記載した後、重ね合わせ面同士を剥離可能に貼り付け、受取人は、その重ね合わせ面を剥がすことで隠蔽情報を確認することができる。
【０００３】
この情報隠蔽葉書に代表されるような重ね合わせ接着用シートは、通常、複数の重ね合わせ紙片が連接されたシートからなり、このシートを当該連接部にて折り畳んだ際、対向する紙片面同士を剥離可能に貼り合わせるため、それぞれの重ね合わせ面には、通常状態では接着性を有しないが、その重ね合わせ面同士を重ね合わせた状態で加圧すると剥離可能に接着する接着層を形成する接着剤が塗布されている。したがって、重ね合わせ接着用シートを重ね合わせた状態でドライシーラにて加圧すると、重ね合わせ紙片同士が当該接着剤により剥離可能に貼り合わされ、情報隠蔽葉書などが得られる。
【０００４】
【発明が解決しようとする課題】
このような重ね合わせ接着用シートを作成する場合、一般的には、接着剤が塗布された長尺シートが横ミシン線にて区画され、それぞれの区画部が単位重ね合わせ接着用シートとしてなり、その両側のマージナル部には移送用トラクタ・ピンに繋合させるための連設孔（マージナル孔）加工が施されたり、個々の重ね合わせ接着用シートにおいては、各重ね合わせ紙片を区画し折り部を形成するための縦ミシン線加工や重ね合わせ状態の重ね合わせ紙片を容易に剥離するための剥がし口を形成する切り欠き加工などが施される。
【０００５】
しかしながら、予め接着剤が塗布された部分への後処理として、マージナル孔加工、縦・横ミシン線加工、切り欠き加工など所定の加工を施す場合、これら加工を施すための型抜き刃やミシン刃などをシートの被加工面側から入れると、この被加工面の反対側面に接着剤が付着した紙片がはみ出して凸状部が形成され、各シートが積み重ねられたり折り畳まれた際、互いの表裏面同士が対接し密着した状態となった場合、当該接着性を有する凸状部をもって互いが接着する、いわゆるブロッキング現象が生じてしまう。
【０００６】
そこで、本発明は、予め接着剤が塗布された部分にマージナル孔加工、縦・横ミシン線加工、切り欠き加工など所定の加工を施した後に発生する、被加工面の反対側面への接着剤の付着した紙片のはみ出しによるブロッキング現象を防止する重ね合わせ接着用シートおよびその作成方法の提供を目的とする。
【０００７】
【課題を解決するための手段】
かかる課題を鑑み、本発明者らは、予め剥離可能に接着する接着剤が塗布された部分において、接着剤が付着した紙片のはみ出しによる凸状部を縮小するように、マージナル孔加工、縦・横ミシン線加工、切り欠き加工など所定の加工が施される加工予定部を押圧することで、上記目的を達成できることを見いだし、本発明を想到した。
【０００８】
すなわち、本発明の重ね合わせ接着用シートは、シート基材の重ね合わせ面に通常の状態では接着することがなく、所定の接着条件を付与することにより剥離可能に接着する接着剤が設けられて所定の印刷および加工が施されたもので、後に重ね合わせ面を剥離可能に接着して用いられる重ね合わせ接着用シートであって、前記接着剤の、前記シート基材に対するマージナル孔加工、縦・横ミシン線加工、切り欠き加工の所定の加工が施される部分を凹状とさせ、当該所定の加工が施されたことを特徴とする。
【０００９】
また、本発明の重ね合わせ接着用シートの作成方法は、シート基材の重ね合わせ面に通常の状態では接着することがなく、所定の接着条件を付与することにより剥離可能に接着する接着剤が設けられて所定の印刷および加工が施されたもので、後に重ね合わせ面を剥離可能に接着して用いられる重ね合わせ接着用シートの作成方法であって、前記シート基材の所定部に前記接着剤が設けられ、前記接着剤の、前記シート基材に対するマージナル孔加工、縦・横ミシン線加工、切り欠き加工の所定の加工が施される部分を押圧により凹状とさせ、当該所定の加工を施すことを特徴とする。
【００１０】
したがって、本発明の重ね合わせ接着用シートおよびその作成方法によれば、予め剥離可能に接着する接着剤が塗布された部分において、接着剤の、前記シート基材に対するマージナル孔加工、縦・横ミシン線加工、切り欠き加工の所定の加工が施される部分を凹状化することにより接着剤が付着した紙片のはみ出しによる凸状部が縮小され、各シートが積み重ねられたり折り畳まれた際、互いの表裏面同士が対接し密着した状態となっても当該部分が相手側に接着しないか、極めて接着し難くなるためブロッキング現象が好適に防止できる。
【００１１】
【発明の実施形態】
以下、本発明の重ね合わせ接着用シートを好適な実施例に基づき、さらに詳述する。なお、ここにおいて、図１は「二つ折り情報隠蔽葉書」を構成する本発明の重ね合わせ接着用シートの説明図で、（イ）は重ね合わせ接着用シートの表面平面図、（ロ）は同裏面平面図、図２は図１の（ロ）のＸ−Ｘ線断面図、図３は図１の重ね合わせ接着用シートの使用状態説明図、図４は「三つ折り情報隠蔽葉書」を構成する本発明の重ね合わせ接着用シートの説明図で、（イ）は重ね合わせ接着用シートの表面平面図、（ロ）は同裏面平面図、図５は図４の（ロ）のＸ−Ｘ線断面図、図６は図４の重ね合わせ接着用シートの使用状態説明図、図７は本発明の重ね合わせ接着用シートの概略的作成フロー図、図８は加工予定部を押圧した場合としない場合における加工後の断面説明図で、（ａ）は押圧しない場合の状態説明図、（ｂ）は押圧した場合の状態説明図、また、図９は別の「三つ折り情報隠蔽葉書」を構成する重ね合わせ接着用シートの使用状態説明図、図１０はさらに別の「三つ折り情報隠蔽葉書」を構成する重ね合わせ接着用シートの使用状態説明図である。
【００１２】
図１に示す重ね合わせ接着用シート１は「二つ折り情報隠蔽葉書」として構成されるもので、図示したものは多数の重ね合わせ接着用シート１が横ミシン線４を介して連接された状態にある。（イ）に示すように、この重ね合わせ接着用シート１は、両側のマージナル部にトラクタ・ピンに繋合するマージナル孔５が設けられたシート基材２を縦ミシン線６を境に上位紙片ａと下位紙片ｃとに区画してなり、さらに、上位紙片ａの下方角部には剥がし口を形成する切り欠き７が施されている。
【００１３】
そして、（ロ）に示すように、上位紙片ａと下位紙片ｃの各重ね合わせ面には通常の状態では接着することなく、加圧により剥離可能に接着する接着剤３が塗布されている。ただし、本発明はこれに限定されるものではなく、この種の重ね合わせ接着用シートで通常に使用されている加圧の他、加熱、加湿など所定の条件を付与することにより剥離可能に接着する接着剤などであっても構わない。
【００１４】
本実施例の重ね合わせ接着用シート１には前述した如く、横ミシン線４加工、マージナル孔５加工、縦ミシン線６加工、剥がし口の切り欠き７加工などの所定の加工が、被加工面である（イ）に表示した面側から型抜き刃やミシン刃などによって施されているが、これらの各加工予定部は加工前に押圧され、この部分の接着剤３層は予め凹状化されている。したがって、各加工時、被加工面の反対側面である（ロ）に表示した面側において、接着剤が付着した紙片のはみ出しにより形成される凸状部（図示せず）は、図２に示すように、凹状化されている接着剤３層内に形成されるため、押圧しない場合に比べて表面への突出部分が少なくなり、縮小された状態となる。これにより、例えば、個々に分離された後に接着前のオープン状態の重ね合わせ接着用シートが多数積み重ねられ、互いの表裏面同士が対接し密着した状態となっても、当該部分が相手側に接着しないためブロッキング現象が好適に防止できる。
【００１５】
なお、本実施例の重ね合わせ接着用シート１の使用時には、図３に示す如く、追加の印字が施され、マージナル部が切断された後、縦ミシン線６を介して上位紙片ａと下位紙片ｂの重ね合わせ面が対接するように折り畳まれ、所定のドライシーラーにて加圧されると、それぞれの重ね合わせ面が剥離可能に接着されて好適な「二つ折り情報隠蔽葉書」として構成される。
【００１６】
次に、図４に示す重ね合わせ接着用シート１は「三つ折り情報隠蔽葉書」として構成されるもので、図示したものは多数の重ね合わせ接着用シート１が横ミシン線４を介して連接された状態にある。（イ）に示すように、この重ね合わせ接着用シート１は両側のマージナル部にトラクタ・ピンに繋合するマージナル孔５が設けられたシート基材２を二条の縦ミシン線６，６を境に上位紙片ａ、中位紙片ｂ、下位紙片ｃとに区画してなり、さらに、上位紙片ａおよび下位紙片ｃの下方角部には剥がし口を形成する切り欠き７，７が施されている。そして、（イ）および（ロ）に示すように、上位紙片ａ、中位紙片ｂ、下位紙片ｃの各重ね合わせ面を含めシート基材２の表裏全面には、加圧することにより剥離可能に接着する接着剤３が塗布されている。
【００１７】
本実施例の重ね合わせ接着用シート１にも、前述の実施例と同様に、横ミシン線４加工、マージナル孔５加工、縦ミシン線６加工、剥がし口の切り欠き７加工などの所定の加工が、被加工面である（イ）に表示した面側から型抜き刃やミシン刃などによって施されているが、これらの各加工予定部は加工前に押圧され、この部分の接着剤３層は予め凹状化されている。したがって、各加工時、被加工面の反対側面である（ロ）に表示した面側において、接着剤が付着した紙片のはみ出しにより形成される凸状部（図示せず）は、図５に示すように、凹状化されている接着剤３層内に形成されるため、前述の実施例と同様に縮小された状態となる。これにより、例えば、この多数連接した状態の重ね合わせ接着用シートを折り畳むなどして互いの表裏面同士が対接し密着した状態となっても、当該部分が相手側に極めて接着し難くなるためブロッキング現象が好適に防止できる。
【００１８】
なお、本実施例の重ね合わせ接着用シート１の使用時には、図６に示す如く、追加の印字が施され、マージナル部が切断された後、二条の縦ミシン線６，６を介して、上位紙片ａ、中位紙片ｂ、下位紙片ｃの重ね合わせ面が対接するようにＺ字状に折り畳まれ、所定のドライシーラーにて加圧されると、それぞれの重ね合わせ面が剥離可能に接着されて好適な「三つ折り情報隠蔽葉書」として構成される。
【００１９】
以下、図７に示す重ね合わせ接着用シートの概略的作成フロー図に基づき、本発明の重ね合わせ接着用シートの作成方法について詳述する。なお、この作成方法の実施例は、図１の「二つ折り情報隠蔽葉書」を構成する重ね合わせ接着用シートの作成方法を例示したものである。
【００２０】
個々の重ね合わせ接着用シート１が多数連接されてなる長尺のシート基材２のウエヴに対し、先ず、印刷機Ｐによって所定の印刷が施された後、横ミシン線４加工、縦ミシン線６加工、切り欠き７加工、マージナル孔５などの所定の加工が施される加工予定部は、各加工予定部の形状に対応したパターン状に凸版が設けられた押圧パターン胴ｒ１とこの受け胴ｒ２などからなる押圧ユニットＲをもって押圧される。次いで、個々の重ね合わせ接着用シート１を区画する横ミシン線４が横ミシン胴ＬＭにより、続いて、上位紙片ａと下位紙片ｃとを区画する縦ミシン線６が縦ミシン胴ＶＭにより、それぞれ施される。さらに、上位紙片ａの下方角部には剥がし口を形成する切り欠き７が型抜き胴ＰＣにより加工された後、マージナル孔５が型抜き胴ＭＣにより加工される。
【００２１】
すなわち、加工予定部を押圧した場合としない場合における加工後の状態は、図８に示すように、各加工予定部を押圧しない場合、（ａ）に示す如く、シート基材２の被加工面の反対側面へ接着剤３が付着した紙片のはみ出しによる凸状部Ｓが形成されるのに対し、各加工予定部を押圧した場合、（ｂ）に示す如く、凸状部は凹状化されている接着剤３層内に形成されるため、押圧しない場合に比べて表面への突出部分が少なくなり、縮小された状態となる。
【００２２】
以下、本発明の重ね合わせ接着用シートの適用例を幾つか例示する。例えば、図９に示す別の「三つ折り情報隠蔽葉書」を構成する重ね合わせ接着用シート１は、Ｚ字状に折り畳まれた上位紙片ａ、中位紙片ｂ、下位紙片ｃからなり、前述の実施例と同様に、縦ミシン線６，６、切り欠き７，７などの所定の加工が施されている他、葉書本体に見立てられる中位紙片ｂに設けられた葉書表示Ｈを上位紙片ａを通して見えるようにした表示窓孔８を形成する型抜き加工なども施されており、これらの加工が施される前に各加工予定部は押圧された状態にある。
【００２３】
また、図１０に示すさらに別の「三つ折り情報隠蔽葉書」を構成する重ね合わせ接着用シート１は、切り重ねられた上位紙片ａ、中位紙片ｂ、下位紙片ｃからなり、これについても同様に、縦ミシン線６，６、切り欠き７，７などの所定の加工が施されている他、葉書表示Ｈを含めた部分で、上位紙片ａと葉書本体に見立てられる中位紙片ｂとが剥離困難に強接着された所定領域１０と、その他の剥離可能な領域１１とを区画分離するためのスリット９加工なども施されており、これらの加工が施される前に各加工予定部は押圧された状態にある。
【００２４】
【発明の効果】
以上、説明したように、本発明の重ね合わせ接着用シートおよびその作成方法によれば、予め剥離可能に接着する接着剤が塗布された部分において、接着剤の、前記シート基材に対するマージナル孔加工、縦・横ミシン線加工、切り欠き加工の所定の加工が施される部分を凹状化することにより接着剤が付着した紙片のはみ出しによる凸状部が縮小され、各シートが積み重ねられたり折り畳まれた際、互いの表裏面同士が対接し密着した状態となっても当該部分が相手側に接着しないか、極めて接着し難くなるためブロッキング現象が好適に防止できるといった効果を奏する。
【図面の簡単な説明】
【図１】「二つ折り情報隠蔽葉書」を構成する本発明の重ね合わせ接着用シートの説明図で、
（イ）は重ね合わせ接着用シートの表面平面図
（ロ）は同裏面平面図
【図２】図１の（ロ）のＸ−Ｘ線断面図。
【図３】図１の重ね合わせ接着用シートの使用状態説明図。
【図４】「三つ折り情報隠蔽葉書」を構成する本発明の重ね合わせ接着用シートの説明図で、
（イ）は重ね合わせ接着用シートの表面平面図
（ロ）は同裏面平面図
【図５】図４の（ロ）のＸ−Ｘ線断面図。
【図６】図４の重ね合わせ接着用シートの使用状態説明図。
【図７】本発明の重ね合わせ接着用シートの概略的作成フロー図。
【図８】加工予定部を押圧した場合としない場合における加工後の断面説明図で、（ａ）は押圧しない場合の状態説明図（ｂ）は押圧した場合の状態説明図
【図９】別の「三つ折り情報隠蔽葉書」を構成する重ね合わせ接着用シートの使用状態説明図。
【図１０】さらに別の「三つ折り情報隠蔽葉書」を構成する重ね合わせ接着用シートの使用状態説明図。
【符号の説明】
１  重ね合わせ接着用シート
２  シート基材
３  接着剤
４  横ミシン線
５  マージナル孔
６  縦ミシン線
７  切り欠き
ａ  上位紙片
ｂ  中位紙片
ｃ  下位紙片
Ｒ  押圧ユニット
ｒ１  押圧パターン胴
ｒ２  受け胴
Ｐ  印刷機
ＬＭ  横ミシン胴
ＶＭ  縦ミシン胴
ＰＣ  切り欠き用型抜き胴
ＭＣ  マージナル孔用型抜き胴
【図１】
0004001689.tif 000002
【図２】
0004001689.tif 000003
【図３】
0004001689.tif 000004
【図４】
0004001689.tif 000005
【図５】
0004001689.tif 000006
【図６】
0004001689.tif 000007
【図７】
0004001689.tif 000008
【図８】
0004001689.tif 000009
【図９】
0004001689.tif 000010
【図１０】
0004001689.tif 000011